(57)【要約】  医療情報記録装置は、医療装置からの医療画像の動画記録を制御する制御部と、前記制御部に制御されて前記医療画像を第１の期間の全期間に亘り第１の記録領域に記録する第１の記録処理部と、前記第１の期間内においてユーザ操作に基づく信号が与えられると、前記制御部に制御されて、前記ユーザ操作のタイミングの前後の所定の第２の期間において前記医療画像の複製を第２の記録領域に記録する第２の記録処理部とを具備し、比較的録画時間が長い医療画像から所望の部分のみを簡単に記録・再生することを可能にする。
2012165381.tif 000002
【特許請求の範囲】
【請求項１】
医療装置からの医療画像の動画記録を制御する制御部と、
前記制御部に制御されて前記医療画像を第１の期間の全期間に亘り第１の記録領域に記録する第１の記録処理部と、
前記第１の期間内においてユーザ操作に基づく信号が与えられると、前記制御部に制御されて、前記ユーザ操作のタイミングの前後の所定の第２の期間において前記医療画像の複製を第２の記録領域に記録する第２の記録処理部と
を具備したことを特徴とする医療情報記録装置。
【請求項２】
前記第２の記録処理部は、複数回の前記ユーザ操作によって生成された前記医療画像の複数の複製同士を結合する
ことを特徴とする請求項１に記載の医療情報記録装置。
【請求項３】
前記第２の記録処理部は、前記複数の複製同士の結合に際して前記複製同士の間にトランジェント画像を挿入する
ことを特徴とする請求項２に記載の医療情報記録装置。
【請求項４】
前記第１の記録処理部は、前記医療画像を１つの動画像ファイルとして記録し、
前記第２の記録処理部は、前記ユーザ操作毎に、前記医療画像の複製を夫々１つの動画像ファイルとして記録する
ことを特徴とする請求項１乃至３のいずれか１つに記載の医療情報記録装置。
【請求項５】
複数の医療装置からの複数の医療画像の動画記録を制御する制御部と、
前記制御部に制御されて前記複数の医療画像を第１の期間の全期間に亘り第１の記録領域中の各医療画像毎の領域に記録する第１の記録処理部と、
前記第１の期間内においてユーザ操作に基づく信号が与えられると、前記制御部に制御されて、前記ユーザ操作のタイミングの前後の所定の第２の期間において前記医療画像の複製を第２の記録領域中の各医療画像毎の領域に記録する第２の記録処理部と
を具備したことを特徴とする医療情報記録装置。
【請求項６】
前記第２の記録処理部は、複数回の前記ユーザ操作によって生成された複数の前記第２の医療画像同士を結合する
ことを特徴とする請求項５に記載の医療情報記録装置。
【請求項７】
前記第２の記録処理部は、前記複数の第２の医療画像同士の結合に際して前記第２の医療画像同士の間にトランジェント画像を挿入する
ことを特徴とする請求項６に記載の医療情報記録装置。
【請求項８】
前記第１の記録処理部は、前記第１の医療画像を１つの動画像ファイルとして記録し、
前記第２の記録処理部は、前記ユーザ操作毎に、前記第２の医療画像を夫々１つの動画像ファイルとして記録する
ことを特徴とする請求項５乃至７のいずれか１つに記載の医療情報記録装置。
【請求項９】
前記制御部は、前記第１及び第２の記録領域を夫々同一のフォルダ内の異なるサブフォルダに設定する
ことを特徴とする請求項１乃至８のいずれか１つに記載の医療情報記録装置。
【請求項１０】
前記ユーザ操作は、前記医療装置に設けられたレリーズボタンの操作である
ことを特徴とする請求項１乃至９のいずれか１つに記載の医療情報記録装置。
【発明の詳細な説明】
【技術分野】
【０００１】
本発明は、内視鏡等の医療装置によって得られる画像を記録する医療情報記録装置に関する。
【背景技術】
【０００２】
従来、内視鏡は医療用分野等において広く採用されている。内視鏡によって得られる医療画像は、診断や症例の記録のために、種々のメディアに記録される。近年、記録媒体の大容量化に伴って、内視鏡からの動画像の記録も行われるようになってきた。例えば、日本国特開２００６−２７１８７１号公報においては、画像処理に応じた録画処理を行う装置が開示されている。このような医療画像の録画処理はデジタル化されており、医療画像はコンピュータによって読み出し可能なファイル形式にて保存されることがある。【０００３】
また、この種の医療情報記録装置においては、複数種類の映像を動画として同時に記録することも可能である。例えば、内視鏡画像だけでなく、内視鏡と術野カメラとを組み合わせることで、術者の手元の動きと内視鏡画像とを関連付けて記録することもできる。このような医療画像を利用することで、処置の仕方、処置具のアプローチや動かし方を内視鏡像だけでなく手元の動きも合わせて総合的に把握することができ、医療画像は、医師の理解を一層深める有用な教材となる。【０００４】
ところで、術者は、診断等の医療行為に専念する必要があることから、一旦医療行為が開始されると、医療画像の録画操作は医療行為の終了まで行われない。従って、このような内視鏡画像や超音波画像等の医療画像は、比較的録画時間が長く、１つの画像ファイルの再生に長時間を要することが多い。【０００５】
このような医療画像は、上述したように、内視鏡画像だけでなく術者の手元の様子を手技の開始から終了まで記録することで、適正な処置が実施されたことを証明する証拠となる。また、これだけではなく、内視鏡画像における全記録データから、処置に関するシーンを重点的に切り出し編集することで、医療技術または医学の発展に寄与できる学会発表の説明資料として活用することもでき、かつ、このシーンに手元の画像を加え編集することで、若手医師への学習用資料としても活用できる。【０００６】
しかしながら、編集作業では、長時間の動画から重要な数分のシーンを切り出すために、全記録データを初めから再生し確認しながら行う必要があり、ユーザーにとって極めて大きな負担となる。【０００７】
本発明は、比較的録画時間が長い複数の医療画像を記録すると共に、これらの医療画像のうちの任意の医療画像を所望の部分のみ簡単に記録することができる医療情報記録装置を提供することを目的とする。
【発明の開示】
【課題を解決するための手段】
【０００８】
本発明の一態様に係る医療情報記録装置は、医療装置からの医療画像の動画記録を制御する制御部と、前記制御部に制御されて前記医療画像を第１の期間の全期間に亘り第１の記録領域に記録する第１の記録処理部と、前記第１の期間内においてユーザ操作に基づく信号が与えられると、前記制御部に制御されて、前記ユーザ操作のタイミングの前後の所定の第２の期間において前記医療画像の複製を第２の記録領域に記録する第２の記録処理部とを具備する。【０００９】
また、本発明の一態様に係る医療情報記録装置は、複数の医療装置からの複数の医療画像の動画記録を制御する制御部と、前記制御部に制御されて前記複数の医療画像を第１の期間の全期間に亘り第１の記録領域中の各医療画像毎の領域に記録する第１の記録処理部と、前記第１の期間内においてユーザ操作に基づく信号が与えられると、前記制御部に制御されて、前記ユーザ操作のタイミングの前後の所定の第２の期間において前記医療画像の複製を第２の記録領域中の各医療画像毎の領域に記録する第２の記録処理部とを具備する。
【図面の簡単な説明】
【００１０】
【図１】本発明の第１の実施の形態に係る医療情報記録装置が組み込まれた医療情報記録システムを示すブロック図。
【図２】第１の実施の形態における医療画像の記録処理を説明するためのタイミングチャート。
【図３】患者情報毎に作成されるフォルダを説明するための説明図。
【図４】第１の実施の形態を説明するためのフローチャート。
【図５】第１の実施の形態を説明するための説明図。
【図６】本発明の第２の実施の形態において採用される動作フローを示すフローチャート。
【図７】第２の実施の形態における録画方法を説明するための説明図。
【図８】本発明の第３の実施の形態を示すブロック図。
【図９】トランジェント画像の生成方法の一例を説明するための説明図。
【図１０】第３の実施の形態の動作を示すフローチャート。
【図１１】本発明の第４の実施の形態を示すブロック図。
【図１２】再生装置の一例を示すブロック図。
【図１３】図１２の再生装置の動作を説明するための説明図。
【図１４】本発明の第５の実施の形態を示すブロック図。
【図１５】本発明の第５の実施の形態を説明するための説明図。
【発明を実施するための最良の形態】
【００１１】
以下、図面を参照して本発明の実施の形態について詳細に説明する。【００１２】
（第１の実施の形態）
図１は本発明の第１の実施の形態に係る医療情報記録装置が組み込まれた医療情報記録システムを示すブロック図である。【００１３】
本実施の形態は医療情報を出力する装置として内視鏡プロセッサ１０を用いた例について説明する。内視鏡プロセッサ１０は、図示しない内視鏡等からの画像を取り込んで画像信号処理を行い、内視鏡画像等の医療画像を生成することができる。内視鏡プロセッサ１０からの医療画像は医療情報記録装置２０及びモニタ３０に供給される。【００１４】
入力装置１１は、図示しないキーボードや内視鏡プロセッサ１０の本体に設けられたボタン、スイッチ（図示せず）等によって構成され、内視鏡プロセッサ１０の画像処理に対する指示操作や、患者情報の入力操作等を行うことができるようになっている。内視鏡プロセッサ１０は、この患者情報を医療情報記録装置２０に出力することができる。【００１５】
また、内視鏡プロセッサ１０は、医療情報記録装置２０を制御するための制御情報を発生する。制御情報としては、動画像である医療画像の録画開始を指示する録画開始情報、その録画終了を指示する録画終了情報、静止画像である医療画像の録画を指示する静止画録画情報、検査の終了を指示する検査終了情報等がある。例えば、内視鏡プロセッサ１０は、内視鏡に設けられたレリーズボタンや録画開始ボタン等の各種スコープ操作に応答して、画像処理が制御されると共に、各種スコープ操作に応じた制御情報を発生して医療情報記録装置２０に出力することができるようになっている。【００１６】
更に、内視鏡プロセッサ１０は、内視鏡等の出力に基づいて生成した医療画像に、患者情報をスーパーインポーズして出力することができる。この場合において、内視鏡プロセッサ１０は、患者情報に基づく表示領域と内視鏡画像に基づく表示領域とを有する医療画像を生成することもできる。【００１７】
モニタ３０は、内視鏡プロセッサ１０からの医療画像を画面上に表示することができるようになっている。図１の例では、モニタ３０の画面右側の領域３１及び左側の領域３２〜３４に、夫々内視鏡画像、患者名、患者ＩＤ及び検査情報が表示されることを示している。【００１８】
医療情報記録装置２０は、内視鏡プロセッサ１０との間で情報の授受を行うインターフェース（以下、Ｉ／Ｆという）２１及び内視鏡プロセッサ１０からの医療画像を取り込むＩ／Ｆ２２を有している。Ｉ／Ｆ２１は例えばＲＳ−２３２Ｃ規格に基づくインターフェースであり、内視鏡プロセッサ１０からの患者情報及び制御情報を取り込む。Ｉ／Ｆ２２は画像伝送に適したインターフェースであり、内視鏡プロセッサ１０からの医療画像を取り込む。【００１９】
医療情報記憶装置２０は、Ｉ／Ｆ２１を介して、内視鏡に設けられた録画開始ボタン及び録画終了ボタンの操作に応答して発生した制御情報が与えられると、Ｉ／Ｆ２１を介して取り込まれた動画像である医療画像（以下、本編動画ともいう）の録画の開始、及び当該録画の終了を行うようになっている。【００２０】
本実施の形態においては、医療情報記録装置２０は、医療画像（本編動画）の録画中において、内視鏡に設けられた例えばレリーズボタンの操作が行われると、この操作に対応して内視鏡プロセッサ１０から与えられた制御情報（以下、部分動画記録制御情報という）に基づいて、部分動画記録制御情報が供給されたタイミングに対応した期間の本編動画の一部分を、部分動画として本編動画とは別に記録する、即ち、複製を生成するようになっている。【００２１】
部分動画を記録するために、Ｉ／Ｆ２２から取り込まれた医療画像は、バッファメモリ２３に供給される。バッファメモリ２３は所定期間分の医療画像を順次蓄積しながら記録処理部２４に出力する。Ｉ／Ｆ２２から取り込まれた医療画像は直接記録処理部２５にも与えられる。記録処理部２４，２５は同一構成であり、記録処理部２５は制御部２６に制御されて本編動画記録用の記録処理を行い、記録処理部２４は制御部２６に制御されて部分動画記録用の記録処理を行う。例えば、記録処理部２４，２５は、入力された医療画像に対して、Ｈ．２６４等の所定のエンコード方式に従ったエンコード処理を行って本編動画又は部分動画を圧縮した後、内蔵ＨＤＤ２９に供給する。内蔵ＨＤＤ２９は、制御部２６に制御されて、記録処理部２５からの本編動画及び記録処理部２４からの部分動画を夫々ファイル化して記録する。【００２２】
なお、制御部２６は、内蔵ＨＤＤ２９に記録されている本編動画及び部分動画を外部メディア４１に与えて記録させることもできるようになっている。なお、外部メディアとしては、外付けハードディスクや半導体記録媒体等の各種記録メディアを含む。【００２３】
Ｉ／Ｆ２１によって取り込まれた患者情報及び制御情報は制御部２６に与えられる。制御部２６は、患者情報及び制御情報をメモリ２８に記憶させると共に、制御情報に基づいて医療画像の記録処理を制御する。【００２４】
図２は本実施の形態における医療画像の記録処理を説明するためのタイミングチャートであり、図２（ａ）は患者情報を示し、図２（ｂ）は録画開始情報を示し、図２（ｃ）は録画終了情報を示し、図２（ｄ）は医療画像入力を示し、図２（ｅ）は本編動画の記録を示し、図２（ｆ）はバッファメモリ２３の出力を示し、図２（ｇ）は部分動画記録制御情報を示し、図２（ｈ）は部分動画記録のための記録制御を示し、図２（ｉ）は部分動画の記録を示している。【００２５】
制御部２６は、図２（ａ）に示す患者情報がＩ／Ｆ２１を介して入力されると、この患者情報をメモリ２４に与えて記憶させる。制御部２６は、患者情報が入力されると、患者情報毎のフォルダを内蔵ＨＤＤ２９内に作成する。【００２６】
図３は患者情報毎に作成されるフォルダを説明するための説明図である。図３の例では、各患者に対応する患者フォルダが作成され、更に、患者フォルダのサブフォルダとして、本編動画が格納されるフォルダ及び部分動画が格納されるフォルダが生成されることを示している。【００２７】
図２（ｂ）に示す録画開始情報がＩ／Ｆ２１を介して入力されると、制御部２６は、本編動画の録画を開始する（図２（ｅ））。内視鏡プロセッサ１０からの医療画像はＩ／Ｆ２２を介して医療情報記録装置２０に取り込まれ、Ｉ／Ｆ２２から直接記録処理部２５に供給されている（図２（ｄ））。記録処理部２５は、録画開始情報が与えられると、図２（ｅ）に示すように、直ちに録画を開始する。即ち、記録処理部２５は、Ｉ／Ｆ２２を介して入力される医療画像に対し圧縮処理等の適宜の処理を施した後、内蔵ＨＤＤ２９に与えて記録させる。なお、本実施の形態においては、内蔵ＨＤＤ２９に医療画像等を記録する例を説明するが、医療画像等の記録先としては、外部ＨＤＤや各種記録メディア等の外部メディア４１を選択することができることは明らかである。【００２８】
動画の医療画像である本編動画の録画は、図２（ｃ）に示す録画終了情報が入力されるまで継続される。制御部２６は、録画終了情報が入力されると、記録処理部２５を制御して、医療画像の録画を終了させる。記録処理部２５は、本編動画をファイル化し、このファイルを内蔵ＨＤＤ２９に作成された患者フォルダ内の本編動画用のサブフォルダ内に適宜のファイル名を付して記録する。【００２９】
このように、本実施の形態においては、制御部２６及び記録処理部２５によって、録画開始情報及び録画終了情報によって指定された動画録画期間の医療画像（本編動画）を１つの画像ファイルとして内蔵ＨＤＤ２９に記録させる。【００３０】
ここで、本編動画の動画録画期間において、術者が例えば図示しない内視鏡に設けられたレリーズボタンを操作するものとする。内視鏡プロセッサ１０は、このレリーズボタンの操作に対応した部分動画記録制御情報を発生して医療情報記録装置２０に出力する（図２（ｇ））。この動画記録制御情報は、Ｉ／Ｆ２１を介して制御部２６に与えられる。制御部２６は、部分動画記録制御情報が与えられると、記録処理部２４に医療画像の記録を指示する。また、制御部２６は、記録処理部２４の録画期間を所定の期間に設定し、この録画期間が終了すると、記録処理部２４の録画を終了させる。記録処理部２４は、このような制御部２６の制御に従って医療画像、即ち、本編動画の一部分の録画を行う。【００３１】
記録処理部２４には、バッファメモリ２３を介して医療画像が供給されている。図２（ｆ）に示すように、バッファメモリ２３は、Ｉ／Ｆ２２を介して入力された医療画像を所定期間ｔ０だけ記憶しながら出力する。従って、記録処理部２４には、記録処理部２５に供給される医療画像が時間ｔ０だけ遅延して供給されることになる。部分動画記録制御情報が記録処理部２５において録画される医療画像の先頭からｔ１のタイミングで発生したものとすると、記録処理部２４は、図２（ｉ）に示すように、本編動画の記録開始から（ｔ１−ｔ０）期間後の医療画像から録画を開始することになる。即ち、制御情報の伝送遅延や録画処理の遅延等を無視すると、記録処理部２４において、術者がレリーズボタンの操作をしたタイミングよりｔ０時間前のタイミングの医療画像から録画が開始されることになる。【００３２】
また、制御部２６が記録処理部２４の録画期間を２ｔ０（図２（ｉ））に設定した場合には、術者がレリーズボタンの操作をしたタイミングよりｔ０時間後のタイミングまでの医療画像が録画されることになる。例えば、バッファメモリ２３の遅延時間ｔ０として２分間を設定すると、術者によるレリーズボタンの操作の前後２分間ずつの計４分間の医療画像を録画することができる。【００３３】
記録処理部２４は、録画期間が終了すると部分動画をファイル化し、このファイルを内蔵ＨＤＤ２９に作成された患者フォルダ（検査フォルダ）内の部分動画用のサブフォルダ内に適宜のファイル名を付して記録する。【００３４】
このように、本実施の形態においては、制御部２６及び記録処理部２４によって、本編動画のうちレリーズボタンが操作された前後の所定期間の部分動画が１つの画像ファイルとして内蔵ＨＤＤ２９に記録される。【００３５】
次に、このように構成された実施の形態の動作について図４のフローチャート及び図５の説明図を参照して説明する。図５（ａ）は本編動画を示し、図５（ｂ）は本編動画と部分動画（塗りつぶし部）との対応を示し、図５（ｃ）は部分動画を示している。【００３６】
制御部２６は、図４のステップＳ１において、検査が開始されたか否かを判断する。例えば、患者情報の入力、録画開始操作、検査開始操作等の操作によって、制御部２６は検査が開始されたことを判断する。術者が入力装置１１を操作して患者情報を入力するものとする。この患者情報は、内視鏡プロセッサ１０から医療情報記録装置２０に供給される。患者情報は、Ｉ／Ｆ２１を介して制御部２６に取り込まれ、メモリ２８に記録される（ステップＳ２）。【００３７】
制御部２６は、入力された患者情報を解析し、患者情報に基づくフォルダ名の検査フォルダを内蔵ＨＤＤ２９内に作成する（ステップＳ３）。例えば、制御部２６は、患者ＩＤを含むフォルダ名の検査フォルダを作成する。また、制御部２６は、このフォルダ内に本編動画用及び部分動画用のサブフォルダを作成する。【００３８】
術者が図示しない内視鏡や内視鏡プロセッサ１０等に設けられた録画開始ボタンを押して、録画開始を指示するものとする。この操作によって、内視鏡プロセッサ１０は、例えば内視鏡からの内視鏡画像に患者情報をスーパーインポーズして生成した医療画像を医療情報記録装置２０に出力すると共に、録画開始情報を発生して医療情報記録装置２０に出力する。制御部２６は、Ｉ／Ｆ２１を介して録画開始情報を受信すると（ステップＳ４）、Ｉ／Ｆ２２を介して入力される医療画像を取り込む。この医療画像は、本編動画として記録処理部２５に与えられ、記録処理部２５の記録処理によって内蔵ＨＤＤ２９に供給されて記録が開始される（ステップＳ５）。【００３９】
次のステップＳ６では録画の終了が判定される。術者が録画終了ボタンを押すと、ステップＳ１１において部分動画の録画中であるか否かが判定され、録画中でない場合には、ステップＳ１３において、本編動画の録画処理が終了し、本編動画がファイル化される。この本編動画ファイルは、患者フォルダ内の本編動画用のサブフォルダ内に記録される。【００４０】
図５（ａ）はこうして記録される本編動画を示しており、図５の例では、本編動画として００：００：００から０１：００：００までの１時間の医療画像の録画が行われたことを示している。【００４１】
次に、本編動画の録画中に、内視鏡や内視鏡プロセッサ１０等に設けられたレリーズボタンが押されるものとする。図５（ａ）の三角印は、レリーズボタンの操作タイミングを示しており、図５の例では、本編動画の録画期間中に３回レリーズボタンが操作されたことを示している。レリーズボタンが押されると、内視鏡プロセッサ１０は、部分動画記録制御情報を生成して医療情報記録装置２０に出力する。制御部２６は、Ｉ／Ｆ２１を介して部分動画記録制御情報を受信すると、レリーズ操作によって部分動画の録画開始が指示されたものと判定し（ステップＳ７）、Ｉ／Ｆ２２からバッファメモリ２３を介して記録処理部２４に入力される医療画像の録画を、記録処理部２４に開始させる（ステップＳ８）。【００４２】
記録処理部２４に入力される医療画像は、記録処理部２５に入力される医療画像に対して、バッファメモリ２３による遅延分だけ遅延したものである。従って、記録処理部２４によって記録される医療画像は、記録処理部２５によって記録されている医療画像に対して時間的に前のタイミングの画像である。従って、術者の録画操作と本編動画の録画との遅延を無視するものとすると、術者のレリーズ操作からバッファメモリ２３の遅延時間だけ前の時間から医療画像が部分動画として録画開始される。【００４３】
制御部２６は、所定の期間が経過すると、ステップＳ９において部分動画の録画期間が終了したものと判定して、記録処理部２４に録画を終了させる。これにより、部分動画はファイル化され、患者フォルダ内の部分動画用のサブフォルダ内に記録される（ステップＳ１０）。こうして、図５（ｂ）の塗りつぶし部に示すように、レリーズボタンの操作タイミングの前後の所定期間の医療画像が、部分動画として記録される。【００４４】
なお、部分動画の録画期間中に、術者によって録画終了ボタンが押された場合には、処理がステップＳ１１からステップＳ１２に移行して、部分動画の録画を終了し、部分動画をファイル化し内蔵ＨＤＤ２９に記録させた後、本編動画ファイル化及び記録が行われる。即ち、図５（ｃ）に示すように、部分動画は、本編動画とは独立して、レリーズボタンの操作に対応した個数だけファイル化されて記録される。【００４５】
例えば、術者は、記録する医療画像のうち特に重要と考える部分を、検査中に認識することがある。この場合には、術者は、レリーズボタン等を操作するという簡単な操作によって、本編動画とは別に重要と考える部分動画を記録することができる。この場合において、部分動画には、術者のレリーズボタン等の操作から所定期間前のタイミングの医療画像を含めることができることから、術者が必要と考える部分を確実に部分動画として記録することができる可能性が高い。【００４６】
再生時において、例えば部分動画を再生することで、短時間に検査のポイントや検査の流れ等を把握することが可能となる。【００４７】
このように本実施の形態においては、医療画像の記録途中において、部分動画の記録のための簡単な操作を行うことで、この操作前後の医療画像を、本編動画とは別に記録することができる。これにより、比較的録画時間が長い医療画像から所望の部分のみを簡単に記録すると共に再生することが可能である。【００４８】
特に、レリーズを起点としてその前部分の動画を記録できるメリットは、最適な内視鏡像を表示させるまでの過程や処置前における病変部への鉗子や処置具の使い方を記録できることにある。例えば、病変部を診断する時にレリーズすることで、どのように病変部へスコープをアプローチしたかを把握することができ、若手医師への有用な教育用資料となる。同様に、処置する時または処置中にレリーズすることで、病変部への処置の仕方や処置具のアプローチの仕方を把握することもできる。加えて、処置後にレリーズすることで、例えば、止血処置や止血確認の手順、それに伴う容態確認までを記録できる。録画終了させることで、術者が素早く術場にて、処置の確かさを再生確認できるとともに、記録したデータが若手医師への有用な教育用資料ともなる。【００４９】
本実施の形態における記録方法を実現できることが、動画編集する医師の負担を軽減するとともに、記録データの活用時における医療技術向上へ寄与できるものである。【００５０】
なお、部分動画の録画を医療画像のいずれのタイミングから開始するかは、バッファメモリ２３の遅延時間を変更することによって適宜変更可能である。また、部分動画の録画を医療画像のいずれのタイミングで終了するかは、制御部の設定により適宜変更可能である。また、レリーズボタンの２回目の操作によって、部分動画の録画を終了させるようにしてもよい。また、術者によりレリーズボタンの操作に応答して、部分動画の録画を行う例について説明したが、部分動画の録画のトリガとなる操作は適宜変更可能である。【００５１】
（第２の実施の形態）
図６は本発明の第２の実施の形態において採用される動作フローを示すフローチャートである。本実施の形態のハードウェア構成は第１の実施の形態と同様であり、制御部２６の記録制御が第１の実施の形態と異なるのみである。【００５２】
第１の実施の形態においては、レリーズボタン等の操作に応じて、１又は複数の部分動画のファイルを記録する例について説明した。本実施の形態は、１つの本編動画に対して複数の部分動画のファイルが形成された場合には、これらの複数の部分動画のファイルを結合して、１つの部分動画ファイルを生成するものである。【００５３】
本実施の形態においては、部分動画を作成するまでの処理は第１の実施の形態と同様である。図４の本編動画のファイル化及び記録が終了すると、制御部２６は図６のステップＳ２１の処理を行う。ステップＳ２１においては、制御部２６は、患者フォルダ内の部分動画用のフォルダに格納されている部分動画を記録順に読み出す。制御部２６は、ステップＳ２２において未読の部分動画が無くなったか否かを判定しながら、全ての部分動画を読み出す。【００５４】
部分動画用のフォルダに格納されている全ての部分動画を読み出すと、制御部２６は、これらの部分動画を記録順に結合する（ステップＳ２３）。なお、制御部２６における部分動画の読み出し及び結合処理は、圧縮された状態のままで行われる。【００５５】
制御部２６は、ステップＳ２３において結合された部分動画をファイル化して、読み出したフォルダ内に適宜のファイル名を付して記録する（ステップＳ２４）。【００５６】
このように構成された実施の形態の動作について図７を参照して説明する。図７は第２の実施の形態における録画方法を説明するための説明図であり、図７（ａ）は本編動画を示し、図７（ｂ）は本編動画と部分動画（塗りつぶし部）との対応を示し、図７（ｃ）は複数の部分動画を示し、図７（ｃ）は結合後の部分動画を示している。【００５７】
本実施の形態においても、第１の実施の形態と同様に、図７（ａ）に示す本編動画の録画期間内において、レリーズ操作が発生すると、図７（ａ）の三角印で示すレリーズ操作のタイミングにおいて、部分動画が作成される（図７（ｂ））。図７（ｃ）に示すように、この部分動画は、ファイル化されて記録される。【００５８】
更に、本実施の形態において、制御部２６は、これらの部分動画を読み出して結合し、図７（ｄ）に示す部分動画を生成する。結合された部分動画も、部分動画用のフォルダ内に格納される。【００５９】
このように本実施の形態においては、複数の部分動画を結合して１つの部分動画を生成しており、複数の部分動画が作成された場合において、再生時における再生を簡単にすることができる。【００６０】
なお、本実施の形態においては、本編動画のファイル化及び記録後に、複数の部分動画を結合する例について説明したが、部分動画を結合するタイミングは適宜設定可能であり、例えば、部分動画が作成される毎に以前の部分動画の最後に作成された部分動画を結合させるようにしてもよく、所定数の部分動画が作成されると、部分動画の結合を行うようにしてもよい。【００６１】
また、本実施の形態においては、複数の部分動画が作成された場合には無条件に部分動画を結合する例について説明したが、ユーザ操作に従って、部分動画の結合をするか否かを決定するようにしてもよい。【００６２】
（第３の実施の形態）
図８は本発明の第３の実施の形態を示すブロック図である。図８において図１と同一の構成要素には同一符号を付して説明を省略する。【００６３】
本実施の形態は、映像処理部４５を付加した点が第２の実施の形態と異なる。第２の実施の形態においては、制御部２６は、複数の部分動画を時間順に単に結合した。これに対し、本実施の形態においては、部分動画の結合に際してトランジェント画像を挿入するものである。【００６４】
結合する部分動画同士は、医療画像中の異なる時間範囲に対応しており、画像の連続性はないものと考えられる。従って、結合された部分動画を再生すると、結合部分において画像が著しく変化し、見にくい動画となることが考えられる。そこで、結合部分を見やすさするためのトランジェント画像を結合部分に挿入する。【００６５】
映像処理部４５は、制御部２６に制御されて、このようなトランジェント画像の挿入を行う。即ち、映像処理部４５は、制御部２６に制御されて、内蔵ＨＤＤ２９から部分動画を読み出す。映像処理部４５は、読み出した部分動画をデコードして、結合部分の前後の所定期間について画像解析を行う。映像処理部４５は、結合する部分動画の結合部分における画像解析に基づいて、トランジェント画像を生成する。【００６６】
図９はトランジェント画像の生成方法の一例を説明するための説明図である。映像処理部４５は、図９（ａ）に示す部分動画Ｄ１，Ｄ２を読み出して、部分動画Ｄ１の最後に部分動画Ｄ２の先頭を結合するものとする。この場合には、映像処理部４５は、部分動画Ｄ１の最後の画像を徐々に輝度を低下させたトランジェント画像Ｔｄ１と、部分動画Ｄ２の先頭の画像の輝度を低下させた状態から徐々に本来の輝度に戻したトランジェント画像Ｔｄ２とを生成する。そして、映像処理部４５は、図９（ｂ）に示すように、部分動画Ｄ１、トランジェント画像Ｔｄ１，Ｔｄ２及び部分動画Ｄ２を結合する。【００６７】
なお、映像処理部４５は、図９に限らず、種々の方法によってトランジェント画像を作成することができる。例えば、映像処理部４５は、部分動画Ｄ１の最後の所定期間の画像の輝度を徐々に低下させたトランジェント画像を生成してもよく、同様に、部分動画Ｄ２の先頭の所定期間において画像の輝度を低下させた状態から本来の輝度まで徐々に戻すトランジェント画像を生成してもよい。また、例えば、部分動画Ｄ１，Ｄ２の輝度差が大きい場合には、部分動画Ｄ１の最後の画像の輝度から部分動画Ｄ２の先頭の画像の輝度まで明るさが変化する１つのトランジェント画像を生成して、部分動画Ｄ１，Ｄ２の間に生成したトランジェント画像を挿入してもよい。【００６８】
映像処理部４５は、結合した部分動画を、Ｈ．２６４等の所定のエンコード方法に従ってエンコードした後、内蔵ＨＤＤ２９に与えて、部分動画用のフォルダ内に格納する。【００６９】
次に、このように構成された実施の形態の動作について図１０を参照して説明する。図１０は第３の実施の形態の動作を示すフローチャートである。図１０において図６と同一の手順には同一符号を付して説明を省略する。【００７０】
映像処理部４５は、制御部２６に制御されて、内蔵ＨＤＤ２９に格納されている部分動画を読み出す（ステップＳ２１，Ｓ２２）。映像処理部４５は、ステップＳ３１において読み出した部分動画をデコードし、映像処理によってトランジェント画像を生成する（ステップＳ３２）。映像処理部４５は、部分動画相互間にトランジェント画像を挿入しながら、部分動画を結合する。【００７１】
映像処理部４５は、結合した部分動画をエンコードする（ステップＳ３４）。映像処理部４５は、エンコード後の部分動画をファイル化して内蔵ＨＤＤ２９に記録する（ステップＳ２３，Ｓ２４）。【００７２】
このように本実施の形態においては、トランジェント画像を挿入しながら部分動画を結合しているので、結合後の部分動画を再生した場合に、つなぎ目の画像が見やすくなるという利点がある。【００７３】
（第４の実施の形態）
図１１は本発明の第４の実施の形態を示すブロック図である。図１１において図１と同一の構成要素には同一符号を付して説明を省略する。本実施の形態はバッファメモリ２３及び記録処理部２４を省略すると共に、映像処理部５１を追加した点が第１の実施の形態の構成と異なる。【００７４】
第１の実施の形態においては、内蔵ＨＤＤ２９への本編動画の記録と同時に、部分動画を記録する例について説明した。これに対し、本実施の形態は本編動画の記録後に、部分動画を生成するものである。記録処理部２５は、制御部２６に制御されて、Ｉ／Ｆ２２を介して入力される医療画像を本編動画として内蔵ＨＤＤ２９に記録する。【００７５】
本実施の形態においては、制御部２６は、Ｉ／Ｆ２１を介して入力される制御情報、特に部分動画記録制御情報をタイマー２７からの時刻情報を用いて、本編動画の時刻に対応させて記録するようになっている。制御部２６は、本編動画の記録が終了すると、映像処理部５１に部分動画の作成を指示する。【００７６】
映像処理部５１は、本編動画をデコードして再生する。映像処理部５１には、制御部２６から部分動画記録制御情報が与えられる。映像処理部５１は、部分動画記録制御情報に基づく本編動画の所定範囲を複写して部分動画とする。即ち、映像処理部５１は、部分動画記録制御情報に基づく位置の前後の所定期間を、複写する範囲とする。【００７７】
上述したように、部分動画記録制御情報は、術者のレリーズ操作等に基づいて発生するようになっており、映像処理部５１は、本編動画から術者のレリーズ操作の前後の所定期間の一部分の動画を部分動画として複写することができる。映像処理部５１は、複写した部分動画を、内蔵ＨＤＤ２９の部分動画用のフォルダに格納する。【００７８】
このように本実施の形態においても、第１の実施の形態と同様に、医療画像の記録途中において、部分動画の記録のための簡単な操作を行うことで、この操作前後の医療画像を、本編動画とは別に記録することができる。【００７９】
なお、本実施の形態は第１の実施の形態に適用した例について説明したが、本実施の形態を第２又は第３の実施の形態に適用して、複数の部分動画を結合してもよいことは明らかである。【００８０】
（再生装置）
図１２は再生装置の一例を示すブロック図である。【００８１】
医療画像の録画時には、自動的に或いは術者の操作に応じて、チャプター（マーク）が設定されることがある。このようなチャプターの情報は、医療画像に対応させて、記録装置の内蔵ＨＤＤ２９に記録される。再生時には、チャプター情報を参照することで、医療画像の再生位置を、チャプターに対応するタイミング（以下、チャプター点）の位置にジャンプさせることができる。【００８２】
この場合において、図１２の再生装置は、１つの医療画像の連続したチャプター点の画像部分を同時に再生することを可能にする。【００８３】
内蔵ＨＤＤ２９からの医療画像は、デコーダ６１，６２に供給される。デコーダ６１はメイン再生用であり、デコーダ６２はサブ再生用である。デコーダ６１，６２は、制御部６５に制御されて、入力された医療画像をデコードとして、夫々メモリ６３，６４に出力する。【００８４】
制御部６５は、内蔵ＨＤＤ２９からチャプター情報を読み出す。制御部６５は、医療画像の再生位置を、ユーザ操作に基づくチャプター点に移動させるように、デコーダ６１，６２を制御する。この場合において、制御部６５は、例えば、デコーダ６１に再生位置として指定するチャプター点の次のチャプター点を、デコーダ６２の再生位置として指定するようになっている。【００８５】
また、制御部６５は、メモリ６３，６４の書き込み及び読み出しを制御することで、メモリ６３からメイン再生用の医療画像を読み出し、メモリ６４からサブ再生用の医療画像を読み出す。映像処理部６６は、メイン再生用の医療画像とサブ再生用の医療画像とを１画面上に同時に表示するための映像処理を行ってモニタ６７に出力する。【００８６】
次に、このように構成された再生装置の動作について図１３の説明図を参照して説明する。【００８７】
いま、時間００：００：００から時間０１：００：００までの１時間の医療画像が録画されて内蔵ＨＤＤ２９に記録されているものとする。図１３（ａ）はこのような医療画像を示しており、この医療画像には、３つのチャプターＴ１，Ｔ２，Ｔ３が設定されている。【００８８】
再生時には、制御部６５は、チャプター情報を読み出す。ユーザが図１３（ａ）の医療画像の再生を指示するものとする。制御部６５は、デコーダ６１，６２を制御して、内蔵ＨＤＤ２９からの医療画像を読み出させる。この場合には、制御部６５は、メイン再生用とサブ再生用とで異なる再生位置の医療データを再生する。即ち、制御部６５は、デコーダ６１に医療画像の開始位置からの再生を指示し、デコーダ６２は、医療画像の最初のチャプターＴ１からの再生を指示する。【００８９】
デコーダ６１，６２は内蔵ＨＤＤ２９から医療画像を読み出してデコードし、制御部６５に指示された再生位置の医療画像をメモリ６３，６４に夫々出力する。制御部６５は、メモリ６３，６４の書き込み及び読み出しを制御して、メモリ６３からメイン再生用の医療画像を読み出し、メモリ６４からサブ再生用の医療画像を読み出す。映像処理部６６はこれらの医療画像を合成してモニタ６７に出力する。【００９０】
図１３（ｂ）はモニタ６７の表示画面６７ａ上の表示例を示している。図１３（ｂ）の例では、表示画面６７ａの左側にメイン再生用の表示領域６８Ｍ、右側にサブ再生用の表示領域６８Ｓが設けられ、表示領域６８Ｍにはデコーダ６１の出力に基づく医療画像が表示され、表示領域６８Ｓにはデコーダ６２の出力に基づく医療画像が同時に表示されていることを示している。即ち、表示領域６８Ｍには、時刻００：００：００からの医療画像が表示され、表示領域６８Ｓには、チャプターＴ１からの医療画像が表示される。【００９１】
ここで、ユーザがチャプターＴ１からの再生を指示すると、制御部６５は、デコーダ６１の再生位置をチャプターＴ１に変化させるようにデコーダ６１を制御し、デコーダ６２の再生位置をチャプターＴ２に変化させるようにデコーダ６２を制御する。これにより、表示領域６８Ｍには、チャプターＴ１からの医療画像が表示され、表示領域６８Ｓには、チャプターＴ２からの医療画像が表示される。【００９２】
図１２の再生装置によれば、連続する２つのチャプターの医療画像を同時に再生することができる。【００９３】
また、表示画面６７ａ上には、医療画像の再生を制御するための各種ボタン表示６９が表示されている。このボタン表示６９に対するユーザ操作を行うことによって、医療画像の再生、再生停止、一時停止、早送り、又は巻戻しを実行させることができる。制御部６５は、ボタン表示６９の操作に基づいて、メイン再生用及びサブ再生用の両方の医療画像の再生を同時に制御する。例えば、メイン再生用の医療画像に対する早送り操作が行われると、表示領域６８Ｍにはメイン再生用の医療画像が早送り再生されると同時に、表示領域６８Ｓにおいて、サブ再生用の医療画像も早送り再生される。【００９４】
このように図１２の再生装置によれば、連続した２つのチャプターの医療画像を同時に再生することができ、ユーザは、医療画像のうち所望する再生位置を容易に認識することが可能である。【００９５】
なお、図１２の装置では、１チャプター分だけずれた医療画像を同時に再生したが、同時に再生する再生位置の差（チャプター数）は適宜設定可能である。【００９６】
（第５の実施の形態）
図１４は本発明の第５の実施の形態を示すブロック図である。図１４において図１と同一の構成要素には同一符号を付して説明を省略する。【００９７】
本実施の形態は医療情報を出力する装置として内視鏡プロセッサ１０だけでなく、術野カメラ７１を採用したものである。術野カメラ７１は、術野を撮像して、撮像画像を医療画像（以下、術野画像ともいう）として医療情報記録装置７０及びモニタ３０に供給する。これにより、モニタ３０は、内視鏡プロセッサ１０からの医療画像だけでなく、術野カメラ７１からの医療画像を画面上に表示することができる。モニタ３０は、内視鏡画像と術野画像とを同時に表示することも可能である。【００９８】
本実施の形態における医療情報記録装置７０は、図１の医療情報記録装置２０と同様の処理部を２系統有している。即ち、Ｉ／Ｆ２２ａ，２２ｂ、バッファメモリ２３ａ，２３ｂ、記録処理部２４ａ，２４ｂ及び記録処理部２５ａ，２５ｂは、夫々Ｉ／Ｆ２２、バッファメモリ２３、記録処理部２４及び記録処理部２５と同一構成である。【００９９】
Ｉ／Ｆ２２ａ，２２ｂは、画像伝送に適したインターフェースであり、夫々内視鏡プロセッサ１０からの医療画像と、術野カメラ７１からの医療画像とを取り込む。なお、Ｉ／Ｆ２２が２つの入力端子（図示せず）を備える場合には、１つのＩ／Ｆ２２のみによって、複数の医療画像を取り込むようにしてもよい。例えば、入力端子として、ＤＶＩ(Digital Visual Interface)端子、ＳＤＩ(Serial Digital Interface)端子、ＲＧＢ端子、Ｙ／Ｃ端子、ＶＩＤＥＯ端子等の複数種類の端子を採用することができる。これらの入力端子には、内鏡プロセッサや術野カメラ以外にも、超音波装置、Ｘ線観測装置、内視鏡プロセッサ１０とは別の内視鏡プロセッサ等を接続可能である。【０１００】
Ｉ／Ｆ２２ａは内視鏡プロセッサ１０からの医療画像をバッファメモリ２３ａ及び記録処理部２５ａに供給し、Ｉ／Ｆ２２ｂは術野カメラ７１からの医療画像をバッファメモリ２３ｂ及び記録処理部２５ｂに供給する。バッファメモリ２３ａ，２３ｂは、所定期間分の医療画像を順次蓄積しながら、夫々蓄積した画像を記録処理部２４ａ，２４ｂに出力する。【０１０１】
本実施の形態においても、第１の実施の形態と同様に、記録処理部２５ａ，２５ｂは制御部２６に制御されて本編動画記録用の記録処理を行い、記録処理部２４ａ，２４ｂは制御部２６に制御されて部分動画記録用の記録処理を行う。他の構成は第１の実施の形態と同様であり、本実施の形態においては、内視鏡画像と同時に術野カメラ７１からの術野画像も本編動画として記録するとともに、内視鏡画像及び術野カメラ７１からの術野画像も部分動画として記録する点が第１の実施の形態と異なる。【０１０２】
このように構成された実施の形態においても、第１の実施の形態と同様に、本編動画と部分動画との記録が行われる。即ち、制御部２６は、検査が開始されると、入力された患者情報を解析し、患者情報に基づくフォルダ名の検査フォルダを内蔵ＨＤＤ２９内に作成する。例えば、制御部２６は、患者ＩＤを含むフォルダ名の検査フォルダを作成する。また、制御部２６は、このフォルダ内に本編動画用及び部分動画用のサブフォルダを作成する。本実施の形態においては、図１５の説明図に示すように、各患者に対応する患者フォルダが作成され、更に、患者フォルダのサブフォルダとして、内視鏡像用の本編動画が格納されるフォルダ及び内視鏡像用の部分動画が格納されるフォルダだけでなく、術野画像用の本編動画が格納されるフォルダ及び術野画像用の部分動画が格納されるフォルダが生成される。【０１０３】
術者が図示しない内視鏡や内視鏡プロセッサ１０及び術野カメラ７１に設けられた録画開始ボタンを押して、録画開始を指示するものとする。この操作によって、内視鏡プロセッサ１０は、例えば内視鏡からの内視鏡画像に患者情報をスーパーインポーズして生成した医療画像を医療情報記録装置７０に出力すると共に、録画開始情報を発生して医療情報記録装置７０に出力する。また、術野カメラ７１は、術野画像を医療情報記録装置７０に出力する。制御部２６は、Ｉ／Ｆ２１を介して録画開始情報を受信すると、Ｉ／Ｆ２２ａ，２２ｂを介して入力される２つの医療画像を取り込む。Ｉ／Ｆ２２ａ，２２ｂを介して夫々入力される内視鏡画像及び術野画像は、本編動画として記録処理部２５ａ，２５ｂに与えられると共に、部分動画としてバッファメモリ２３ａ，２３ｂを介して記録処理部２４ａ，２４ｂに供給される。【０１０４】
記録処理部２５ａ，２５ｂの記録処理によって、内視鏡画像及び術野画像の本編動画は内蔵ＨＤＤ２９に供給されて記録が開始される。術者が録画終了ボタンを押すと、本編動画の録画処理が終了し、本編動画がファイル化される。この本編動画ファイルは、患者フォルダ内の本編動画用（内視鏡像）のサブフォルダ又は本編動画用（術野画像）のサブフォルダ内に記録される。【０１０５】
次に、本編動画の録画中に、内視鏡や内視鏡プロセッサ１０等に設けられたレリーズボタンが押されるものとする。レリーズボタンが押されると、内視鏡プロセッサ１０は、部分動画記録制御情報を生成して医療情報記録装置２０に出力する。制御部２６は、Ｉ／Ｆ２１を介して部分動画記録制御情報を受信すると、レリーズ操作によって部分動画の録画開始が指示されたものと判定し、Ｉ／Ｆ２２ａ，２２ｂからバッファメモリ２３ａ，２３ｂを介して記録処理部２４ａ，２４ｂに入力される内視鏡画像及び術野画像の録画を、記録処理部２４ａ，２４ｂに夫々開始させる。【０１０６】
即ち、本実施の形態においては、内視鏡プロセッサ１０のレリーズボタン等の操作によって、内視鏡プロセッサ１０からの医療画像及び術野カメラ７１からの医療画像を２つの部分画像として記録することができる。【０１０７】
記録処理部２４ａに入力される医療画像（内視鏡画像）は、記録処理部２５ａに入力される内視鏡画像に対して、バッファメモリ２３ａによる遅延分だけ遅延したものである。従って、記録処理部２４ａによって記録される内視鏡画像は、記録処理部２５ａによって記録されている内視鏡画像に対して時間的に前のタイミングの画像である。従って、術者の録画操作と本編動画の録画との遅延を無視するものとすると、術者のレリーズ操作からバッファメモリ２３ａの遅延時間だけ前の時間から内視鏡画像が部分動画として録画開始される。【０１０８】
同様に、記録処理部２４ｂに入力される医療画像（術野画像）は、記録処理部２５ｂに入力される術野画像に対して、バッファメモリ２３ｂによる遅延分だけ遅延したものである。従って、記録処理部２４ｂによって記録される術野画像は、記録処理部２５ｂによって記録されている術野画像に対して時間的に前のタイミングの画像である。従って、術者の録画操作と本編動画の録画との遅延を無視するものとすると、術者のレリーズ操作からバッファメモリ２３ｂの遅延時間だけ前の時間から術野画像が部分動画として録画開始される。【０１０９】
制御部２６は、所定の期間が経過すると、これらの部分動画の録画期間が終了したものと判定して、記録処理部２４ａ，２４ｂに録画を終了させる。これにより、２つの部分動画はファイル化され、患者フォルダ内の部分動画用（内視鏡像）のサブフォルダ又は部分動画用（術野画像）のサブフォルダ内に記録される。こうして、レリーズボタンの操作タイミングの前後の所定期間の医療画像（内視鏡画像及び術野画像）が、部分動画として記録される。【０１１０】
なお、２つの部分動画の録画期間中に、術者によって録画終了ボタンが押された場合には、２つの部分動画の録画を終了し、２つの部分動画をファイル化し内蔵ＨＤＤ２９に記録させた後、２つの本編動画ファイル化及び記録が行われる。即ち、２つの部分動画は、２つの本編動画とは独立して、レリーズボタンの操作に対応した個数だけファイル化されて記録される。【０１１１】
このように本実施の形態においては、入力される２つの医療画像を本編動画として全期間に亘って記録する共に、レリーズボタンの操作タイミング前後の所定期間において、２つの医療画像を部分動画として記録することができる。内視鏡プロセッサと術野カメラとを組み合わせると、術者の手元の動きと内視鏡画像とを関連付けて記録することができ、処置のしかた、処置具のアプローチや動かし方を内視鏡像だけでなく手元の動きも合わせて総合的に把握することができ、医師の理解がより一層深まる有用な教材となる。このような２つの医療画像についても、内視鏡画像及び術野画像を本編動画として全期間記録すると共に、レリーズボタンの操作タイミングで内視鏡画像及び術野画像を所定期間記録することができ、内視鏡画像と術野画像とが関連付けられた画像においても、動画編集する医師の負担を軽減して、記録データの活用時における医療技術向上へ寄与できるものである。【０１１２】
また、術者によるレリーズボタンの操作に応答して、部分動画の録画を行う例について説明したが、部分動画の録画のトリガとなる操作は適宜変更可能であり、例えば、術野カメラのレリーズボタンの操作に応答して、部分動画の録画を行うようにしてもよい。【０１１３】
なお、２つの医療画像を本編動画として記録すると共に部分動画としても記録する例について説明したが、２つの医療画像の一方の医療画像を本編動画とし他方を部分動画として記録してもよい。例えば、内視鏡画像を本編動画として全期間記録すると共に、レリーズボタンの操作タイミングで術野画像を所定期間記録するようにしてもよい。【０１１４】
また、第２乃至第４の実施の形態を第５の実施の形態に適用可能であることは明らかである。【０１１５】
本出願は、２０１１年５月３０日に日本国に出願された特願２０１１−１２０８５６号を優先権主張の基礎として出願するものであり、上記の開示内容は、本願明細書、請求の範囲、図面に引用されたものとする。
【図１】
2012165381.tif 000003
【図２】
2012165381.tif 000004
【図３】
2012165381.tif 000005
【図４】
2012165381.tif 000006
【図５】
2012165381.tif 000007
【図６】
2012165381.tif 000008
【図７】
2012165381.tif 000009
【図８】
2012165381.tif 000010
【図９】
2012165381.tif 000011
【図１０】
2012165381.tif 000012
【図１１】
2012165381.tif 000013
【図１２】
2012165381.tif 000014
【図１３】
2012165381.tif 000015
【図１４】
2012165381.tif 000016
【図１５】
2012165381.tif 000017
【手続補正書】
【提出日】平成24年11月30日(2012.11.30)
【手続補正１】
【補正対象書類名】明細書
【補正対象項目名】０００８
【補正方法】変更
【補正の内容】
【０００８】
本発明の一態様に係る医療情報記録装置は、医療装置からの医療画像の動画記録を制御する制御部と、前記制御部に制御されて前記医療画像を第１の期間の全期間に亘り第１の記録領域に記録する第１の記録処理部と、前記第１の期間内においてユーザ操作に基づく信号が与えられると、前記制御部に制御されて、前記ユーザ操作のタイミングに応じて所定の第２の期間において前記医療画像の複製を第２の記録領域に記録するとともに複数回の前記ユーザ操作によって生成された前記医療画像の複数の複製同士を結合する第２の記録処理部とを具備する。
【手続補正２】
【補正対象書類名】明細書
【補正対象項目名】０００９
【補正方法】変更
【補正の内容】
【０００９】
また、本発明の一態様に係る医療情報記録装置は、複数の医療装置からの複数の医療画像の動画記録を制御する制御部と、前記制御部に制御されて前記複数の医療画像を第１の期間の全期間に亘り第１の記録領域中の各医療画像毎の領域に記録する第１の記録処理部と、前記第１の期間内においてユーザ操作に基づく信号が与えられると、前記制御部に制御されて、前記ユーザ操作のタイミングに応じて所定の第２の期間において前記医療画像の複製を第２の記録領域中の各医療画像毎の領域に記録するとともに複数回の前記ユーザ操作によって生成された複数の前記第２の医療画像同士を結合する第２の記録処理部とを具備する。
【手続補正３】
【補正対象書類名】特許請求の範囲
【補正対象項目名】全文
【補正方法】変更
【補正の内容】
【特許請求の範囲】
【請求項１】
医療装置からの医療画像の動画記録を制御する制御部と、
前記制御部に制御されて前記医療画像を第１の期間の全期間に亘り第１の記録領域に記録する第１の記録処理部と、
前記第１の期間内においてユーザ操作に基づく信号が与えられると、前記制御部に制御されて、前記ユーザ操作のタイミングに応じて所定の第２の期間において前記医療画像の複製を第２の記録領域に記録するとともに複数回の前記ユーザ操作によって生成された前記医療画像の複数の複製同士を結合する第２の記録処理部と
を具備したことを特徴とする医療情報記録装置。
【請求項２】
前記第２の記録処理部は、前記複数の複製同士の結合に際して前記複製同士の間にトランジェント画像を挿入する
ことを特徴とする請求項１に記載の医療情報記録装置。
【請求項３】
前記第１の記録処理部は、前記医療画像を１つの動画像ファイルとして記録し、
前記第２の記録処理部は、前記ユーザ操作毎に、前記医療画像の複製を夫々１つの動画像ファイルとして記録する
ことを特徴とする請求項１に記載の医療情報記録装置。
【請求項４】
複数の医療装置からの複数の医療画像の動画記録を制御する制御部と、
前記制御部に制御されて前記複数の医療画像を第１の期間の全期間に亘り第１の記録領域中の各医療画像毎の領域に記録する第１の記録処理部と、
前記第１の期間内においてユーザ操作に基づく信号が与えられると、前記制御部に制御されて、前記ユーザ操作のタイミングに応じて所定の第２の期間において前記医療画像の複製を第２の記録領域中の各医療画像毎の領域に記録するとともに複数回の前記ユーザ操作によって生成された複数の前記第２の医療画像同士を結合する第２の記録処理部と
を具備したことを特徴とする医療情報記録装置。
【請求項５】
前記第２の記録処理部は、前記複数の第２の医療画像同士の結合に際して前記第２の医療画像同士の間にトランジェント画像を挿入する
ことを特徴とする請求項４に記載の医療情報記録装置。
【請求項６】
前記第１の記録処理部は、前記第１の医療画像を１つの動画像ファイルとして記録し、
前記第２の記録処理部は、前記ユーザ操作毎に、前記第２の医療画像を夫々１つの動画像ファイルとして記録する
ことを特徴とする請求項４に記載の医療情報記録装置。
【請求項７】
前記制御部は、前記第１及び第２の記録領域を夫々同一のフォルダ内の異なるサブフォルダに設定する
ことを特徴とする請求項１に記載の医療情報記録装置。
【請求項８】
前記ユーザ操作は、前記医療装置に設けられたレリーズボタンの操作である
ことを特徴とする請求項１に記載の医療情報記録装置。
【手続補正書】
【提出日】平成25年3月28日(2013.3.28)
【手続補正１】
【補正対象書類名】特許請求の範囲
【補正対象項目名】全文
【補正方法】変更
【補正の内容】
【特許請求の範囲】
【請求項１】
医療装置からの医療画像の動画記録を制御する制御部と、
前記制御部に制御されて前記医療画像を第１の期間の全期間に亘り第１の記録領域に記録する第１の記録処理部と、
前記第１の期間内においてユーザ操作に基づく信号が与えられると、前記制御部に制御されて、前記ユーザ操作のタイミングに応じて所定の第２の期間において前記医療画像の複製を第２の記録領域に記録するとともに複数回の前記ユーザ操作によって生成された前記医療画像の複数の複製同士を結合する第２の記録処理部と
を具備したことを特徴とする医療情報記録装置。
【請求項２】
前記第２の記録処理部は、前記複数の複製同士の結合に際して前記複製同士の間にトランジェント画像を挿入する
ことを特徴とする請求項１に記載の医療情報記録装置。
【請求項３】
前記第１の記録処理部は、前記医療画像を１つの動画像ファイルとして記録し、
前記第２の記録処理部は、前記ユーザ操作毎に、前記医療画像の複製を夫々１つの動画像ファイルとして記録する
ことを特徴とする請求項１に記載の医療情報記録装置。
【請求項４】
複数の医療装置からの複数の医療画像の動画記録を制御する制御部と、
前記制御部に制御されて前記複数の医療画像を第１の期間の全期間に亘り第１の記録領域中の各医療画像毎の領域に記録する第１の記録処理部と、
前記第１の期間内においてユーザ操作に基づく信号が与えられると、前記制御部に制御されて、前記ユーザ操作のタイミングに応じて所定の第２の期間において前記医療画像の複製を第２の記録領域中の各医療画像毎の領域に記録するとともに複数回の前記ユーザ操作によって生成された複数の前記医療画像の複製同士を結合する第２の記録処理部と
を具備したことを特徴とする医療情報記録装置。
【請求項５】
前記第２の記録処理部は、前記複数の医療画像の複製同士の結合に際して前記医療画像の複製同士の間にトランジェント画像を挿入する
ことを特徴とする請求項４に記載の医療情報記録装置。
【請求項６】
前記第１の記録処理部は、前記第１の期間の全期間に亘り記録された前記医療画像を１つの動画像ファイルとして記録し、
前記第２の記録処理部は、前記ユーザ操作毎に、前記医療画像の複製同士を結合し夫々１つの動画像ファイルとして記録する
ことを特徴とする請求項４に記載の医療情報記録装置。
【請求項７】
前記制御部は、前記第１及び第２の記録領域を夫々同一のフォルダ内の異なるサブフォルダに設定する
ことを特徴とする請求項１に記載の医療情報記録装置。
【請求項８】
前記ユーザ操作は、前記医療装置に設けられたレリーズボタンの操作である
ことを特徴とする請求項１に記載の医療情報記録装置。
【手続補正書】
【提出日】平成25年7月4日(2013.7.4)
【手続補正１】
【補正対象書類名】特許請求の範囲
【補正対象項目名】全文
【補正方法】変更
【補正の内容】
【特許請求の範囲】
【請求項１】
医療装置からの医療画像の動画記録を制御する制御部と、
前記制御部に制御されて前記医療画像を第１の期間の全期間に亘り第１の記録領域に記録する第１の記録処理部と、
前記第１の期間内においてユーザ操作に基づく信号が与えられると、前記制御部に制御されて、前記ユーザ操作のタイミングに応じて所定の第２の期間において前記医療画像の複製を第２の記録領域に記録するとともに複数回の前記ユーザ操作によって生成された前記医療画像の複数の複製同士を結合する第２の記録処理部と
を具備したことを特徴とする医療情報記録装置。
【請求項２】
前記第２の記録処理部は、前記複数の複製同士の結合に際して前記複製同士の間にトランジェント画像を挿入する
ことを特徴とする請求項１に記載の医療情報記録装置。
【請求項３】
前記第１の記録処理部は、前記医療画像を１つの動画像ファイルとして記録し、
前記第２の記録処理部は、前記ユーザ操作毎に、前記医療画像の複製を夫々１つの動画像ファイルとして記録する
ことを特徴とする請求項１に記載の医療情報記録装置。
【請求項４】
複数の医療装置からの複数の医療画像の動画記録を制御する制御部と、
前記制御部に制御されて前記複数の医療画像を第１の期間の全期間に亘り第１の記録領域中の各医療画像毎の領域に記録する第１の記録処理部と、
前記第１の期間内においてユーザ操作に基づく信号が与えられると、前記制御部に制御されて、前記ユーザ操作のタイミングに応じて所定の第２の期間において前記医療画像の複製を第２の記録領域中の各医療画像毎の領域に記録するとともに複数回の前記ユーザ操作によって生成された複数の前記医療画像の複製同士を結合する第２の記録処理部と
を具備したことを特徴とする医療情報記録装置。
【請求項５】
前記第２の記録処理部は、前記複数の医療画像の複製同士の結合に際して前記医療画像の複製同士の間にトランジェント画像を挿入する
ことを特徴とする請求項４に記載の医療情報記録装置。
【請求項６】
前記第１の記録処理部は、前記第１の期間の全期間に亘り記録された前記医療画像を１つの動画像ファイルとして記録し、
前記第２の記録処理部は、前記ユーザ操作毎に、前記医療画像の複製同士を結合し１つの動画像ファイルとして記録する
ことを特徴とする請求項４に記載の医療情報記録装置。
【請求項７】
前記制御部は、前記第１及び第２の記録領域を夫々同一のフォルダ内の異なるサブフォルダに設定する
ことを特徴とする請求項１に記載の医療情報記録装置。
【請求項８】
前記ユーザ操作は、前記医療装置に設けられたレリーズボタンの操作である
ことを特徴とする請求項１に記載の医療情報記録装置。
【国際調査報告】
2012165381.tif 000018
2012165381.tif 000019
2012165381.tif 000020
2012165381.tif 000021